(57)【要約】【課題】シールド性を確保し、同軸ケーブルを入力側接続部又は出力側接続部に接続する接続作業の負担を軽減できる同軸ケーブル用コンセントを提供する。【解決手段】本開示の同軸ケーブル用コンセントは、入力側接続部と出力側接続部とを備える。入力側接続部及び出力側接続部は、第１端子部３０，７０と、第２端子部３１，７１と、カバー３３，７３と、固定構造３９，７９とを有する。第１端子部３０，７０は、入力側同軸ケーブルの内部導体又は出力側同軸ケーブルの内部導体と接続される。第２端子部３１，７１は、入力側同軸ケーブルの外部導体又は出力側同軸ケーブルの外部導体と接続される。カバー３３，７３は、第２端子部３１，７１と接続され、入力側同軸ケーブルの端部又は出力側同軸ケーブルの端部を覆う。固定構造３９，７９は、第２端子部３１，７１とカバー３３，７３とを固定する。【選択図】図３
2019125560.tif 000002
【特許請求の範囲】
【請求項１】
入力側同軸ケーブルが接続される入力側接続部と、
出力側同軸ケーブルが接続される出力側接続部と、を備え、
前記入力側接続部及び前記出力側接続部の各々は、
前記入力側同軸ケーブルの内部導体又は前記出力側同軸ケーブルの内部導体と電気的に接続される第１端子部と、
前記第１端子部とは電気的に絶縁され、前記入力側同軸ケーブルの外部導体又は前記出力側同軸ケーブルの外部導体と電気的に接続される第２端子部と、
前記第１端子部と電気的に絶縁され、かつ前記第２端子部と電気的に接続されており、前記入力側同軸ケーブルの端部又は前記出力側同軸ケーブルの端部を覆うカバーと、
前記第２端子部と前記カバーとを固定する固定構造と、を有する
同軸ケーブル用コンセント。
【請求項２】
前記入力側接続部及び前記出力側接続部の各々は、
導電性を有し、前記第２端子部と電気的に接続され、前記第１端子部及び前記第２端子部を収容し、前記カバーで覆われる開口を有するボディと、
前記カバーと前記ボディとの間の隙間に配置され、前記カバーと前記ボディとを電気的に接続する導電部材と、を更に有する
請求項１に記載の同軸ケーブル用コンセント。
【請求項３】
前記導電部材は、弾性を有する
請求項２に記載の同軸ケーブル用コンセント。
【請求項４】
前記固定構造は、ねじを含む
請求項１〜３のいずれか一項に記載の同軸ケーブル用コンセント。
【請求項５】
前記入力側接続部の前記ねじと前記出力側接続部の前記ねじとは、１本のねじである
請求項４に記載の同軸ケーブル用コンセント。
【請求項６】
前記入力側接続部及び前記出力側接続部が設けられるコンセント本体を更に備え、
前記入力側接続部及び前記出力側接続部は、前記コンセント本体における一方向の両側の面に設けられた
請求項１〜５のいずれか一項に記載の同軸ケーブル用コンセント。
【請求項７】
前記出力側接続部から前記出力側同軸ケーブルが引き出される向きは、前記入力側接続部から前記入力側同軸ケーブルが引き出される向きとは異なる
請求項１〜６のいずれか一項に記載の同軸ケーブル用コンセント。
【発明の詳細な説明】
【技術分野】
【０００１】
本開示は、一般に同軸ケーブル用コンセントに関し、より詳細には、同軸ケーブルが接続される同軸ケーブル用コンセントに関する。
【背景技術】
【０００２】
同軸ケーブル用コンセントの一例としてテレビコンセントが知られており、例えば特許文献１に開示されている。特許文献１に記載のテレビコンセントは、入力端子部（入力側接続部）と、出力端子部（出力側接続部）と、を備えている。入力端子部は、入力される高周波信号を伝播した同軸ケーブルと接続される。出力端子部は、出力された高周波信号を伝播する同軸ケーブルと接続される。
【０００３】
入力端子部及び出力端子部の各々は、端子片と、押え片と、押えネジと、を備えている。同軸ケーブルの芯線は、端子片と押え片との間に挿入される。そして、押えネジによって、端子片及び押え片で、同軸ケーブルの芯線が挟持される。
【０００４】
また、入力端子部及び出力端子部の各々は、サドル金具と、サドル金具取付ネジと、を備えている。サドル金具は、同軸ケーブルを固定するための部品である。サドル金具取付ネジによって、サドル金具がテレビコンセントのシャーシに固定される。
【０００５】
また、入力側接続部及び出力側接続部の各々は、シールド金具と、シールド金具取付ネジと、を備えている。シールド金具は、入力端子部又は出力端子部をカバーする。シールド金具は、シールド金具取付ネジによって、テレビコンセントのシャーシに固定される。
【先行技術文献】
【特許文献】
【０００６】
【特許文献１】特開平９−１３９２４０号公報
【発明の概要】
【発明が解決しようとする課題】
【０００７】
上記のテレビコンセントでは、多数のネジ（押えネジ、サドル金具取付ネジ、シールド金具取付ネジ）を用いて、同軸ケーブルが端子部（入力端子部又は出力端子部）に接続される。このため、テレビコンセントに同軸ケーブルを接続するのに時間が掛かり、接続作業の負担が大きかった。
【０００８】
本開示は、上記事由に鑑み、入力側接続部及び出力側接続部を別々に備え、シールド性を確保しつつ、同軸ケーブルを入力側接続部又は出力側接続部に接続する接続作業の負担を軽減できる同軸ケーブル用コンセントを提供することを目的とする。
【課題を解決するための手段】
【０００９】
本開示の一態様に係る同軸ケーブル用コンセントは、入力側接続部と、出力側接続部と、を備える。前記入力側接続部は、入力側同軸ケーブルが接続される。前記出力側接続部は、出力側同軸ケーブルが接続される。前記入力側接続部及び前記出力側接続部の各々は、第１端子部と、第２端子部と、カバーと、固定構造と、を有する。前記第１端子部は、前記入力側同軸ケーブルの内部導体又は前記出力側同軸ケーブルの内部導体と電気的に接続される。前記第２端子部は、前記第１端子部とは電気的に絶縁され、前記入力側同軸ケーブルの外部導体又は前記出力側同軸ケーブルの外部導体と電気的に接続される。前記カバーは、前記第１端子部と電気的に絶縁され、かつ前記第２端子部と電気的に接続されており、前記入力側同軸ケーブルの端部又は前記出力側同軸ケーブルの端部を覆う。前記固定構造は、前記第２端子部と前記カバーとを固定する。
【発明の効果】
【００１０】
本開示の同軸ケーブル用コンセントは、入力側接続部及び出力側接続部を別々に備えた同軸ケーブル用コンセントにおいて、シールド性を確保しつつ、同軸ケーブルを入力側接続部又は出力側接続部に接続する接続作業の負担を軽減できるという利点がある。
【図面の簡単な説明】
【００１１】
【図１】図１は、本開示の一実施形態に係る同軸ケーブル用コンセントを示す斜視図である。
【図２】図２は、同上の同軸ケーブル用コンセントを示す分解斜視図である。
【図３】図３は、同上の同軸ケーブル用コンセントの入力側接続部及び出力側接続部を示す分解斜視図である。
【図４】図４は、同上の入力側接続部をカバー側を透視して示した斜視図である。
【図５】図５は、同上の入力側接続部の裏側を示す斜視図である。
【図６】図６は、同上の入力側接続部におけるカバーが開いた状態を示す側面図である。
【図７】図７は、同上の入力側接続部におけるカバーが閉じた状態を示す正面図である。
【図８】図８は、実施形態の変形例を示す側面図である。
【図９】図９は、実施形態の他の変形例を示す側面図である。
【発明を実施するための形態】
【００１２】
以下、本開示の実施形態について説明する。下記の実施形態は、本開示の様々な実施形態の例に過ぎない。また、下記の実施形態は、本開示の目的を達成できれば、設計等に応じて種々の変更が可能である。また、以下の説明における前後上下左右の方向は、説明のために便宜上使用しているに過ぎず、実施形態に係る同軸ケーブル用コンセント１の使用方向を規定する趣旨ではない。
【００１３】
（１）実施形態
図１〜図７を参照して、本実施形態に係る同軸ケーブル用コンセント１について説明する。
【００１４】
（１−１）概要  
図１を参照して、同軸ケーブル用コンセント１の概要を説明する。  
【００１５】
図１に示すように、同軸ケーブル用コンセント１は、各種の信号が入力可能な入力側同軸ケーブルと、各種の信号が出力可能な出力側同軸ケーブルとが接続されるコンセントである。この実施形態では、一例として、同軸ケーブル用コンセント１は、屋内の壁面等に設置されるテレビコンセントとして構成されている。
【００１６】
即ち、同軸ケーブル用コンセント１は、入力側同軸ケーブル２と、第１出力側同軸ケーブル４と、第２出力側同軸ケーブル３と、が接続される。入力側同軸ケーブル２は、外部（例えばテレビ受信アンテナ）からテレビ信号を入力する同軸ケーブルである。第１出力側同軸ケーブル４は、入力したテレビ信号をテレビ受像機に出力する同軸ケーブルである。第２出力側同軸ケーブル３は、入力したテレビ信号を他のテレビコンセントに出力する同軸ケーブルである。
【００１７】
そして、同軸ケーブル用コンセント１は、入力側同軸ケーブル２から入力したテレビ信号を、第１出力側同軸ケーブル４を介してテレビ受像機に出力することができ、また、第２出力側同軸ケーブル３を介して他のテレビコンセントに出力することができる。なお、第２出力側同軸ケーブルは、送り側同軸ケーブルとも呼ばれる。
【００１８】
ここで、入力側同軸ケーブル２、第１出力側同軸ケーブル４、及び、第２出力側同軸ケーブル３の各々は、内部導体（芯線とも言う）と、内部導体を覆う絶縁体と、絶縁体の周囲を覆う外部導体と、外部導体を覆うシースと、を備えている。入力側同軸ケーブル２、第１出力側同軸ケーブル４、及び、第２出力側同軸ケーブル３の各々は、内部導体と外部導体とが、ケーブルの延長方向と直交する断面において同軸状（同心状）に配置されている。内部導体は、例えば銅線を備える。外部導体は、例えば、細い銅線を編んだいわゆる編組線を備える。ただし、外部導体は、アルミ箔を備えてもよいし、編組線とアルミ箔とを備えてもよい。  
【００１９】
以後、内部導体を芯線とも記載し、外部導体を編素線とも記載する。また、第１出力側同軸ケーブル４を単に出力側同軸ケーブル４とも記載し、第２出力側同軸ケーブル３を単に出力側同軸ケーブル３とも記載する。
【００２０】
より詳細には、同軸ケーブル用コンセント１は、コンセント本体１５と、テレビ出力端子５と、入力側接続部６と、出力側接続部７とを備えている。  
【００２１】
コンセント本体１５は、同軸ケーブル用コンセント１のうち、テレビ出力端子５、入力側接続部６及び出力側接続部７以外の部分であり、例えば略直方体形に形成されている。
【００２２】
テレビ出力端子５は、テレビ信号をテレビ受像機に出力するための端子であり、例えばＦ型端子である。テレビ出力端子５は、コンセント本体１５の前面に設けられており、テレビ受像機からの第１出力側同軸ケーブル４の端部に設けられたＦ型接栓が接続される。
【００２３】
入力側接続部６は、入力側同軸ケーブル２の端部が電気的及び機械的に接続される接続部であり、出力側接続部７は、第２出力側同軸ケーブル３の端部が電気的及び機械的に接続される接続部である。入力側接続部６及び出力側接続部７は、一例として、コンセント本体１５の左右両側の側面（即ちコンセント本体における一方向の両側の側面）に設けられている。
【００２４】
入力側接続部６は、一例として、入力側同軸ケーブル２を入力側接続部６の下方へ引き出す形に構成されている。同様に、出力側接続部７も、一例として、出力側同軸ケーブル３を出力側接続部７の下方へ引き出す形に構成されている。即ち、出力側接続部から引き出される出力側同軸ケーブルの向きは、入力側接続部から引き出される入力側同軸ケーブルの向きと一致している。
【００２５】
また、同軸ケーブル用コンセント１は、取付部８を備えている。取付部８は、同軸ケーブル用コンセント１を、部屋の壁等に埋め込まれたテレビコンセント用ボックス（以後、ボックスと記載する。）内に取り付ける際に、ボックスの取付部に引っ掛かる部分である。取付部８は、同軸ケーブル用コンセント１の正面の左右両側に設けられている。取付部８は、例えば溝部として形成され、ボックスの取付部は、例えば突起部として形成されている。ボックスの取付部（即ち突起部）が取付部８（即ち溝部）に引っ掛かることで、同軸ケーブル用コンセント１がボックス内に収納されて設置される。
【００２６】
このように構成された同軸ケーブル用コンセント１は、部屋の壁等に埋め込まれたボックス内に収納されて設置される。この設置状態で、テレビ出力端子５は、部屋内に露出されており、テレビ受像機からの同軸ケーブル４の端部のＦ型端子が接続可能になっている。また、入力側接続部６は、必要に応じて、テレビアンテナ等からの入力側同軸ケーブル２と接続されてテレビ信号を入力する。出力側接続部７は、別のテレビコンセントへの出力側同軸ケーブル３と接続される。  
【００２７】
このように接続されることで、同軸ケーブル用コンセント１は、入力側接続部６からテレビ信号を入力し、そのテレビ信号を、テレビ出力端子５からテレビ受像機に出力すると共に出力側接続部７から別の同軸ケーブル用コンセント１に分岐して出力する。
【００２８】
（１−２）詳細  
図２を参照して、同軸ケーブル用コンセント１の構成を詳しく説明する。図２に示すように、同軸ケーブル用コンセント１は、ボディ１０と、取付用板部１１と、化粧端子台１２と、回路基板１３と、シールドカバー１４と、上記のテレビ出力端子５と、上記の入力側接続部６と、上記の出力側接続部７と、を備えている。ボディ１０、取付用板部１１、化粧端子台１２、回路基板１３、及びシールドカバー１４は、上記のコンセント本体１５を構成している。
【００２９】
ボディ１０は、各構成部品（取付用板部１１、化粧端子台１２、回路基板１３、シールドカバー１４、入力側接続部６、出力側接続部７など）が取り付けられる骨格部分である。ボディ１０は、金属製である。ボディ１０は、平面視で略Ｕ字形に形成されており、前面部１０ａと、左側の側板部１０ｂと、右側の側板部１０ｃと、を備えている。前面部１０ａは、略矩形の板状である。側板部１０ｂ及び側板部１０ｃは、互いに同形同大の略矩形の板状である。側板部１０ｂ及び側板部１０ｃの各々は、前面部１０ａの左右各辺部から後方に向かって延びている。
【００３０】
ボディ１０は、前面部１０ａに、テレビ出力端子５と、複数の嵌合孔１７，１８と、を備えている。テレビ出力端子５は、前面部１０ａの中央に設けられており、前方に突出している。各嵌合孔１７，１８は、前面部１０ａに取付用板部１１を取り付けるための孔であり、前面部１０ａの周縁に互いに離れて設けられている。嵌合孔１７は、例えば、円弧状の長孔であり、前面部１０ａの４つの角部のうちの互いに対向する２つの角部の付近に１つずつ計２つ設けられている。嵌合孔１８は、例えば、円形の開口を有する孔であり、前面部１０ａの４つの角部のうちの上記２つの角部以外の１つの角部の付近に１つ設けられている。
【００３１】
ボディ１０は、各側板部１０ｂ，１０ｃの外側主面の各々に、周壁部１１ｂ，１１ｃを備えている。各周壁部１１ｂ，１１ｃは、側板部１０ｂ，１０ｃに垂直に立てられており、側板部１０ｂ，１０ｃの周縁部に沿って設けられている。周壁部１１ｂ内に入力側接続部６が設けられ、周壁部１１ｃ内に出力側接続部７が設けられている。
【００３２】
ボディ１０は、各側板部１０ｂ，１０ｃの内側主面の各々に、基板ガイドレール２０を備えている。基板ガイドレール２０は、回路基板１３がボディ１０内に収納される際に、回路基板１３の左右各辺部にスライド可能に嵌合することで、回路基板１３をボディ１０内の所定位置に案内する部分である。基板ガイドレール２０は、各側板部１０ｂ、１０ｃの内側主面における上下方向の中央において、内側主面の横幅方向に沿って延びている。基板ガイドレール２０は、互いに間隔を空けた上下一対の壁部で構成されており、回路基板１３の左右各辺部が、上記の上下一対の壁部の間にスライド可能に嵌合する。
【００３３】
ボディ１０は、各側板部１０ｂ，１０ｃの内側主面の上縁部及び下縁部の各々に、シールドカバーガイド部２１を備えている。シールドカバーガイド部２１は、シールドカバー１４の裏面の周縁部に当接することで、シールドカバー１４の上面部１４ａ及び下面部１４ｂの各々をボディ１０の開放上面及び開放下面に配置するように支持する部分である。
【００３４】
各シールドカバーガイド部２１は、板部であり、ボディ１０の内部側に向かって突出しており、各側板部１０ｂ，１０ｃの横幅方向に沿って延びている。各側板部１０ｂ，１０ｃの上縁部のシールドカバーガイド部２１は、各側板部１０ｂ，１０ｃの上端面から少し下がった位置（即ちシールドカバー１４の厚さ分、下がった位置）に設けられている。各側板部１０ｂ，１０ｃの下縁部のシールドカバーガイド部２１は、各側板部１０ｂ，１０ｃの下端面から少し上がった位置（即ちシールドカバー１４の厚さ分、上がった位置）に設けられている。
【００３５】
各側板部１０ｂ，１０ｃの上端面及び下端面の各々の前面部１０ａ側の端部の付近には、段差凹部２２が設けられ、段差凹部２２の底面には、嵌合穴２３が設けられている。段差凹部２２は、シールドカバー１４の引掛片１４ｄが嵌合する部分であり、段差凹部２２の底面は、シールドカバーガイド部２１に対して平坦である。嵌合穴２３は、引掛片１４ｄの先端部が嵌合する穴である。
【００３６】
取付用板部１１は、取付部８を構成するための板部であり、略矩形の板状である。取付用板部１１は、端子台嵌合孔２６を備えている。端子台嵌合孔２６は、化粧端子台１２の円筒部１２２が嵌合する円筒状の孔であり、取付用板部１１の主面の中央に貫通状に設けられている。端子台嵌合孔２６の内周面には、一対の溝部２６ａが設けられている。一対の溝部２６ａは、端子台嵌合孔２６の深さ方向に沿って端子台嵌合孔２６の表側開口面から裏側開口面側に向かって延びている。一対の溝部２６ａの各々の裏側開口部側の端部は、端子台嵌合孔２６の周方向の一方側に屈曲して屈曲端部を構成している。
【００３７】
取付用板部１１の表側主面のうち、左右両側の縁部１１ａは、左右両側の縁部１１ａ以外の部分である中央部１１ｆに比べて、取付用板部１１の厚さ方向に段差状に下がっている。縁部１１ａと中央部１１ｆとの間の段差側面には、例えば溝状の取付部８が設けられている。
【００３８】
取付用板部１１の裏側主面には、複数の嵌合爪（図示省略）が設けられている。各嵌合爪は、ボディ１０の前面部１０ａの各嵌合孔１７，１８に対応する位置に設けられており、対応する嵌合孔１７，１８に嵌合する。この嵌合により、取付用板部１１は、ボディ１０の前面部１０ａに取り付けられる。この取付状態では、テレビ出力端子５は、端子台嵌合孔２６の中央に配置し、左右各側の取付部８はそれぞれ、左右各方向を向いている。
【００３９】
化粧端子台１２は、同軸ケーブル用コンセント１の前面を装飾する部材であり、色違いのものが用意されている。化粧端子台１２は、端子台本体１２１と、円筒部１２２と、を備えている。端子台本体１２１は、取付用板部１１の表側主面の中央部１１ｆと同形同大の略矩形の板状である。端子台本体１２１の主面の中央には、円形のテレビ出力端子挿通孔２８が貫通状に設けられている。
【００４０】
円筒部１２２は、端子台本体１２１の裏側主面に設けられており、端子台本体１２１の裏側に突出している。円筒部１２２とテレビ出力端子挿通孔２８とは、それらの内周面が面一になるように、互いに連通している。円筒部１２２は、端子台嵌合孔２６の内部に嵌合可能に形成されている。円筒部１２２の外周面には、一対の突起部（図示省略）が設けられている。
【００４１】
円筒部１２２は、上記の一対の突起部が取付用板部１１の一対の溝部２６ａに沿って移動するように、端子台嵌合孔２６に挿入される。そして、化粧端子台１２が取付用板部１１の表側主面に当接した状態で、円筒部１２２が一定角度回転されると、上記の一対の突起部が一対の溝部２６ａの上記の屈曲端部に嵌合する。この嵌合により、化粧端子台１２は、取付用板部１１の表側主面に取り付けられる。この取付状態では、テレビ出力端子５は、テレビ出力端子挿通孔２８の中央に配置している。また、端子台本体１２１と取付用板部１１の中央部１１ｆの各々の輪郭は、互いに一致している。
【００４２】
回路基板１３は、略矩形の板状である。回路基板１３には、テレビ出力端子５、入力側接続部６の後述の入力側端子部３０、出力側接続部７の後述の出力側端子部７０、及び、分岐回路などが実装される。上記の分岐回路は、入力側端子部３０に入力されたテレビ信号を２つの分岐信号に分岐し、一方の分岐信号をテレビ出力端子５に出力し、他方の分岐信号を上記の出力側端子部７０に出力する。
【００４３】
回路基板１３は、ボディ１０の開放後面（即ち前面部１０ａ側とは反対側の開放面）からボディ１０内に収納される。その際、回路基板１３の左辺部１３ａ及び右辺部１３ｂの各々は、ボディ１０の左右各側の基板ガイドレール２０に沿って移動する。この結果、回路基板１３は、基板ガイドレール２０によって位置決めされた状態で、ボディ１０内に収納される。この収納状態では、回路基板１３は、ボディ１０の上下方向の中間において、ボディ１０の前後方向に沿って平行に配置する。
【００４４】
シールドカバー１４は、ボディ１０の開放上面、開放下面及び開放後面を覆う部材であり、ボディ１０の内部と外部とを電磁的に遮蔽する。シールドカバー１４は、金属製の略矩形の薄板が側面視略Ｕ字形に加工されて形成されており、上面部１４ａ、下面部１４ｂ及び後面部１４ｃを、有している。上面部１４ａ及び下面部１４ｂの各々は、後面部１４ｃの上辺部及び下辺部から前方に延びている。
【００４５】
上面部１４ａの左右両辺部の前端部、及び、下面部１４ｂの左右両辺部の前端部には、引掛片１４ｄが設けられている。各引掛片１４ｄは、シールドカバー１４の左右方向外側に突出し、その先端部は、上面部１４ａ及び下面部１４ｂの対向方向に屈曲している。後面部１４ｃの左右両辺部の中央にも、引掛片１４ｅが設けられている。引掛片１４ｅは、シールドカバー１４の左右方向外側に突出し、その先端部は、シールドカバー１４の前側に屈曲している。
【００４６】
シールドカバー１４は、ボディ１０の開放後面側からボディ１０に取り付けられる。この取付状態では、シールドカバー１４の上面部１４ａ、下面部１４ｂ及び後面部１４ｃの各々が、ボディ１０の開放上面、開放下面及び開放後面を覆う。また、シールドカバー１４の上面部１４ａの裏面の左右両側の縁部の各々が、ボディ１０の開放上面の左右両側のシールドカバーガイド部２１に当接する。更に、シールドカバー１４の上面部１４ａの左右両側の各引掛片１４ｄの先端部の各々が、ボディ１０の左側の側板部１０ｂ及び右側の側板部１０ｃの各々の上端面の嵌合穴２３に嵌合する。この結果、シールドカバー１４の上面部１４ａがボディ１０の開放上面に位置決めされる。同様の構造で、シールドカバー１４の下面部１４ｂもボディ１０の開放下面に位置決めされる。
【００４７】
また、シールドカバー１４の後面部１４ｃの左右両側の引掛片１４ｅの先端部が、ボディ１０の左側の側板部１０ｂ及び右側の側板部１０ｃの各々の後端面に設けられた嵌合穴（図示省略）に嵌合する。この嵌合により、シールドカバー１４の後面部１４ｃがボディ１０の開放後面に位置決めされる。
【００４８】
図３〜図７を参照して、入力側接続部６、出力側接続部７、及びボディ１０の構成を詳しく説明する。  
【００４９】
図３に示すように、入力側接続部６は、入力側端子部３０（第１端子部）と、端子板３１（第２端子部）と、カバー３３と、ねじ３４と、導電部材３５（第１導電部材３５１、第２導電部材３５２、第３導電部材３５３）と、絶縁カバー３８と、を備えている。ねじ３４は、カバー３３を端子板３１に固定する固定構造３９の一例である。
【００５０】
また、ボディ１０の周壁部１１ｂは、金属製である。周壁部１１ｂは、側板部１０ｂの外側主面から立ち上がる４つの側壁（上壁１１ｂ１、下壁１１ｂ２、後側壁１１ｂ３、前側壁１１ｂ４）を一体に備え、側板部１０ｂの横幅方向に長い略四角円筒状に形成されている。
【００５１】
下壁１１ｂ２の側板部１０ｂからの高さは、上壁１１ｂ１、後側壁１１ｂ３、前側壁１１ｂ４の各々の側板部１０ｂからの高さよりも低い。  
【００５２】
後側壁１１ｂ３の先端及び前側壁１１ｂ４の先端において、上側の部分には、カバー３３の一対の支軸３３６ａを受けるための一対の軸受け１１ｂ７，１１ｂ８が設けられている。
【００５３】
略四角筒状の周壁部１１ｂの基端側開口は、側板部１０ｃで形成された底部１１ｂ９で塞がれている。周壁部１１ｂの底部１１ｂ９のうち、周縁部は、それ以外の部分である中央部よりも段状に高くなっている。周壁部１１ｂの底部１１ｂ９のうち、中央部に絶縁カバー３８が設けられる。底部の周縁部の左縁部及び右縁部の各々には、第１導電部材３５１及び端子板３１を固定するための例えば３つの突起部が設けられている。
【００５４】
周壁部１１ｂの底部１１ｂ９には、入力側端子部３０が挿通する略矩形の挿通孔１１１と、絶縁カバー３８の裏面の突起部３８３が嵌合する一対の嵌合孔１１２と、が設けられている。挿通孔１１１は、周壁部１１ｂの底部１１ｂ９の所定位置（例えば底部における横幅方向の一方側にずれた位置）に設けられている。一対の嵌合孔１１２は、周壁部１１ｂの底部１１ｂ９における横幅方向の両側の位置に設けられている。
【００５５】
入力側端子部３０は、入力側同軸ケーブル２の端部から露出した内部導体が接続される部分である。入力側端子部３０は、横長棒状の端子部本体３０ｂと、端子部本体３０ｂの先端部に設けられた一対のばね片３０ａと、を備えている。一対のばね片３０ａは、入力側同軸ケーブル２の端部から露出した内部導体を弾性的に挟むことで、内部導体と電気的及び機械的に接続する。一対のばね片３０ａは下方に延びている。
【００５６】
入力側端子部３０の基端部は、周壁部１１ｂの底部１１ｂ９の挿通孔１１１を挿通してボディ１０内に配置され、ボディ１０内の回路基板１３に電気的及び機械的に接続される。入力側端子部３０の先端部（即ち一対のばね片３０ａ）は、周壁部１１ｂの内部に突出される。なお、入力側端子部３０の先端部（即ち一対のばね片３０ａ）は、周壁部１１ｂの下壁１１ｂ２の先端よりも外側に突出する。この状態で、一対のばね片３０ａは、下側に突出する。
【００５７】
端子板３１は、カバー３３との間で、入力側同軸ケーブル２の端部（例えばこの端部から露出した外部導体２ｂ）をカバー３３との間で狭持する部分である。端子板３１は、後述のように絶縁カバー３８及び第１導電部材３５１が周壁部１１ｂの底部１１ｂ９に設けられた状態で、周壁部１１ｂ内において、周壁部１１ｂの底部１１ｂ９の周縁部に設けられる（図４参照）。端子板３１は、金属製（例えば鉄製）である。端子板３１は、周壁部１１ｂの底部１１ｂ９を覆う形状（例えば矩形板状）に形成されている。端子板３１の左側縁部及び右側縁部には、３つずつ貫通孔３１ｃが設けられている。各貫通孔３１ｃが周壁部１１ｂの底部１１ｂ９の周縁部の上記の突起部に嵌合することで、端子板３１は、周壁部１１ｂの底部１１ｂ９の周縁部（即ちボディ１０）に固定される。
【００５８】
端子板３１において、その正面から見て左上側の部分には、絶縁カバー３８の後述の入力側端子収容部３８２を通すための挿通孔３１ａが形成されている。入力側端子収容部３８２は、挿通孔３１ａを通って端子板３１の表側に垂直に突出する（図４参照）。なお、入力側端子収容部３８２内には、後述のように入力側端子部３０が収容される。端子板３１において、挿通孔３１ａの下方の部分が、入力側同軸ケーブル２の端部から露出した外部導体と接触する。端子板３１の下側中央部分には、ねじ３４がねじ込まれるねじ孔３１ｂが設けられている。
【００５９】
第１導電部材３５１は、ボディ１０と端子板３３とカバー３３との間の電気的な接続を確保する部材である。第１導電部材３５１は、周壁部１１ｂ内において、端子板３１と周壁部１１ｂとの間に配置される（図４参照）。より詳細には、第１導電部材３５１は、端子板３１における横幅方向の両側にそれぞれ１つずつ計２つ配置される。即ち、各第１導電部材３５１は、端子板３１における横幅方向の両側の側面と周壁部１１ｂの両側の側壁１１ｂ３，１１ｂ４との間に配置される。第１導電部材３５１は、金属製である。第１導電部材３５１は、中央に開口が形成された金属板を折曲げることで、上下方向から見てＬ字状に形成されており、横板部３５１１と縦板部３５１２とを有する。
【００６０】
第１導電部材３５１の横板部３５１１は、周壁部１１ｂの底部１１ｂ９の周縁部と端子板３１の裏面との間に挟まれて配置される。横板部３５１１には、端子板３１の３つの貫通孔３１ｃのうち、下側の２つの貫通孔３１ｃに対応する位置に、２つの貫通孔３５１１ａが形成されている。各貫通孔３５１１ａが周壁部１１ｂの底部１１ｂ９の周縁部の上記の突起部に嵌合することで、第１導電部材３５１は、端子板３１と一緒に周壁部１１ｂの底部１１ｂ９の周縁部（即ちボディ１０）に固定される。
【００６１】
横板部３５１１の中央には、切り欠きが形成されている。この切り欠きの部分に、端子板３１の裏面に向かって付勢された３つの板ばね３５１１ｂが設けられている。これらの板ばね３５１１ｂによって、周壁部１１ｂの底部１１ｂ９（即ちボディ１０）と端子板３１との間の電気的な接続を確保することが可能となり、ボディ１０と端子板３１との間の電磁シールド性を向上させることが可能となる。
【００６２】
第１導電部材３５１の縦板部３５１２は、周壁部１１ｂの前側壁１１ｂ４と端子板３１の前側端面との間、又は、周壁部１１ｂの後側壁１１ｂ３と端子板３１の後側端面との間に挟まれる（図４参照）。縦板部３５１２は、中央部分に、横板部３５１１の切り欠きと連通する矩形の切り欠きが形成されている。縦板部３５１２の先端から切り欠き内に、弾性を有する板ばね３５１２ａが突出している。板ばね３５１２ａは、周壁部１１ｂの内部側に突出するように付勢されている。即ち、カバー３３が閉じられた状態で、板ばね３５１２ａがカバー３３の側面に接触する。
【００６３】
この板ばね３５１２ａによって、周壁部１１ｂ（即ちボディ１０）とカバー３３との間の電気的な接続を確保することが可能となり、ボディ１０とカバー３３との間の電磁シールド性を向上させることが可能となる。また、板ばね３５１２ａが、周壁部１１ｂの後側壁１１ｂ３に形成された一対のリブの間に挟まれることで、縦板部３５１２の上下方向の位置が保持されている。周壁部１１ｂの前側壁１１ｂ４及び後側壁１１ｂ３の各々の内面には、段差凹部が形成されており、その段差凹部内に、縦板部３５１２が嵌合されることによっても、縦板部３５１２の上下方向の位置が保持されている。
【００６４】
なお、周壁部１１ｂの開口をカバー３３で閉じた状態では、板ばね３５１２ａがカバー３３の側面に接触する（図７参照）。これにより、周壁部１１ｂの両側の側壁１１ｂ３,１１ｂ４（即ちボディ１０）とカバー３３の両側の側面との間の電気的な接続を確保することが可能となり、ボディ１０とカバー３３との間の電磁シールド性を向上させることが可能となる。
【００６５】
絶縁カバー３８は、絶縁性を有する材料（例えば樹脂）で形成されており、入力側端子部３０と端子板３１との間の絶縁を確保する部材である。絶縁カバー３８は、略矩形板状の基台部３８１と、入力側端子収容部３８２と、突起部３８３と、を一体に備えている。基台部３８１は、周壁部１１ｂの底部１１ｂ９に配置される部分である。入力側端子収容部３８２は、基台部３８１の裏側から表側に凹むように形成されて入力側端子部３０を覆う部分である。突起部３８３は、周壁部１１ｂの底部１１ｂ９の嵌合孔１１２に嵌合する部分である。
【００６６】
入力側端子収容部３８２は、中空の矩形箱状に形成されており、基台部３８１の外側主面において、基台部３８１の外側主面の側に突出するように設けられている。入力側端子収容部３８２の内部空間は、基台部３８１を貫通して基台部３８１の内側主面の側（即ちボディ１０の左右方向内側）に開口している。入力側端子収容部３８２の下面には、入力側端子収容部３８２内に収容された入力側端子部３０のばね片３０ａに対応する位置に、貫通孔３８２ａが形成されている（図４参照）。
【００６７】
絶縁カバー３８は、上述のように、入力側端子部３０が回路基板１３に実装されて周壁部１１ｂの底部１１ｂ９の挿通孔１１１に通された状態で、周壁部１１ｂの底部１１ｂ９の中央部に配置される。この状態で、入力側端子部３０の一対のばね片３０ａは、入力側端子収容部３８２内に収容されて、貫通孔３８２ａの裏側に対向して配置する。
【００６８】
そして、この配置状態で、上述のように、端子板３１が周壁部１１ｂの底部１１ｂ９の周縁部に設けられる。これにより、絶縁カバー３８は、周壁部１１ｂの底部１１ｂ９と端子板３１との間に配置され、入力側端子収容部３８２は、端子板３１の挿通孔３１ａを通って端子板３１の外側に突出する（図４参照）。この状態では、絶縁カバー３８（特に入力側端子収容部３８２）は、入力側端子部３０と端子板３１との間に介在して、入力側端子部３０と端子板３１との間の絶縁を確保する。また、入力側端子収容部３８２の貫通孔３８２ａは、周壁部１１ｂの下壁１１ｂ２よりも外側に配置する。これにより、周壁部１１ｂの下側から、入力側同軸ケーブル２の端部から露出した内部導体２ａを、入力側端子収容部３８２の貫通孔３８２ａに挿入して、入力側端子収容部３８２内の一対のばね片３０ａに接続することが可能である。
【００６９】
カバー３３は、入力側接続部６に接続された入力側同軸ケーブル２の端部を被覆し、かつ、上述のように、端子板３１との間で入力側同軸ケーブル２の端部を狭持する部分である。カバー３３は、金属製（例えば亜鉛ダイキャスト製）であり、周壁部１１ｂの開口を覆うように周壁部１１ｂに取り付けられる（図７参照）。カバー３３は、周壁部１１ｂに対して回転可能に取り付けられており、周壁部１１ｂの開口を開閉することが可能である。
【００７０】
カバー３３は、主面壁３３１と、４つの側壁（上壁３３２、下壁３３３、後側壁３３４、前側壁３３５）と、を一体に備えている。４つの側壁は、主面壁３３１の４辺から主面壁３３１の裏側に向かって立てられている。カバー３３の裏面は、開口している。
【００７１】
カバー３３の主面壁３３１は、上下方向の中央に横方向に延びる段差を有する階段状に形成されている。即ち、主面壁３３１は、板状の上半部分３３６と、上半部分３３６の下縁に沿って上半部分３３６の裏側に突出する板状の段差部分３３７と、段差部分３３７の先端縁に沿って下方に突出する板状の下半部分３３８と、を備えている。
【００７２】
上半部分３３６の上端の両側には、カバー３３の横幅方向外側に突出する支軸３３６ａが形成されている。両側の支軸３３６ａは、周壁部１１ｂの軸受け１１ｂ７，１１ｂ８に保持される。支軸３３６ａが軸受け１１ｂ７，１１ｂ８に保持された状態では、カバー３３は、支軸３３６ａの周りで回転可能に周壁部１１ｂに支持される（図６参照）。
【００７３】
ここにおいて、軸受け１１ｂ７，１１ｂ８の各々は、支軸３３６ａを回転可能に支持する溝部と、その溝部と連通し、支軸３３６ａの直径よりも小さい幅の開口部を有する。開口部の幅が支軸３３６ａの直径よりも小さいため、支軸３３６ａの軸受け１１ｂ７，１１ｂ８からの脱落が防止される。また、軸受け１１ｂ７，１１ｂ８と支軸３３６ａとの接触により、周壁部１１ｂ（即ちボディ１０）とカバー３３との電気的な接触が確保されており、同軸ケーブル用コンセント１の電磁シールド性が向上する。
【００７４】
下半部分３３８の横幅方向の中央には、ねじ３４を通すための貫通孔３３８ａが形成されている（図５参照）。段差部分３３７の横幅方向の中央には、ねじ３４の頭を避けるように凹み３３７ａ（図７参照）が形成されている。
【００７５】
カバー３３の下壁３３３は、主面壁３３１の下半部分３３８の下端よりもやや上方の位置から、主面壁３３１の裏側に突出している。即ち、主面壁３３１の下半部分３３８の一部（下端部）が、いわゆる庇状となっている。
【００７６】
図５を参照して、カバー３３について更に詳しく説明する。  
【００７７】
図５に示すように、カバー３３の下半部分３３８には、第１保持凹部３３８ｂが形成されている。第１保持凹部３３８ｂは、入力側端子部３０に接続された入力側同軸ケーブル２の端部（例えばこの端部から露出した外部導体）を、端子板３１との間で保持する部分である。
【００７８】
第１保持凹部３３８ｂは、下半部分３３８の横幅方向の一方側に偏った位置（即ちカバー３３が周壁部１１ｂの開口を覆った状態で入力側同軸ケーブル２の端部に対応する位置）に形成されている。第１保持凹部３３８ｂは、下半部分３３８の裏面において上下方向に沿って延びた半円筒形（即ち筒を縦半分に割った形）に形成されている。
【００７９】
第１保持凹部３３８ｂの長手方向に直交する断面の形状は、カバー３３の裏側に向かって凹状に湾曲した円弧形（例えば半円形）に形成されている。第１保持凹部３３８ｂの下端は、カバー３３の下壁３３３で開放し、第１保持凹部３３８ｂの上端は、段差部分３３７で開放している。第１保持凹部３３８ｂの横幅方向の幅（開口幅）は、入力側同軸ケーブル２の外径とほぼ同じ（やや大きい）である。
【００８０】
第１保持凹部３３８ｂには、半円筒形（即ち略円筒を縦半分に割った形）に形成され、弾性を有する第２導電部材３５２が配置されている。第２導電部材３５２は、第１保持凹部３３８ｂと入力側同軸ケーブル２の端部（例えばこの端部から露出した外部導体）との間に介在し、その間を塞ぐ部材である。第２導電部材３５２には、位置決めのための複数の貫通孔が形成されている。第１保持凹部３３８ｂには、第２導電部材３５２の貫通孔に挿入される複数の突起が設けられている。第２導電部材３５２の貫通孔に第１保持凹部３３８ｂの突起が挿入されることで、第２導電部材３５２は、第１保持凹部３３８ｂに位置決めされる。また、第２導電部材３５２は、例えば突起を対応する貫通孔に嵌め込むことで、カバー３３に固定されている。
【００８１】
カバー３３の上壁３３２には、上壁３３２の長手方向に沿って２つの切り欠き（第１切り欠き３３２ａ，３３２ｂ）が形成されている。第１切り欠き３３２ａ及び第２切り欠き３３２ｂは、上壁３３２の長手方向に沿って並んでいる。第１切り欠き３３２ａ及び第２切り欠き３３２ｂは、カバー３３の正面から見て、カバー３３の横幅の中心を通り上下に延びる中心軸線に対して、互いに左右対称な位置に形成されている。第１切り欠き３３２ａは、上壁３３２において、第１保持凹部３３８ｂと上下方向に対応する位置に形成されている。
【００８２】
第１切り欠き３３２ａは、カバー３３を支軸３３６ａ周りで回転させるときに、絶縁カバー３８の入力側端子収容部３８２が通過できる大きさに形成されている。第２切り欠き３３２ｂは、第１切り欠き３３２ａと同じ大きさに形成されている。
【００８３】
カバー３３の上壁３３２には、２つの導電部材３５（２つの第３導電部材３５３）が設けられている。第３導電部材３５３は、カバー３３を閉じたときに周壁部１１ｂの上壁１１ｂ１に接触して、周壁部１１ｂ（即ちボディ１０）とカバー３３との間の電気的な接続を確保する部材である。一方の第３導電部材３５３は、カバー３３の上壁３３２において、第１切り欠き３３２ａに対応する位置に設けられている。他方の第３導電部材３５３は、カバー３３の上壁３３２において、第２切り欠き３３２ｂに対応する位置に設けられている。
【００８４】
第３導電部材３５３は、金属製である。第３導電部材３５３は、略半円筒形（即ち略円筒を縦半分に割った形）の基部３５３ａと、基部３５３ａの上縁から上方に延びる一対の板状の連結部３５３ｂと、各連結部３５３ｂの上縁から左又は右に延びる、計４つの板ばね部３５３ｃと、を有する。
【００８５】
第３導電部材３５３の基部３５３ａは、中央に貫通孔が設けられている。カバー３３の上半部分３３６の裏面には、第３導電部材３５３の貫通孔に挿入する突起が設けられている。第３導電部材３５３の貫通孔に、カバー３３の上半部分３３６の突起が挿入されることで、第３導電部材３５３の基部３５３ａは、カバー３３に位置決めされる。また、第３導電部材３５３の基部３５３ａは、例えば突起を貫通孔に嵌め込むことで、カバー３３に固定されている。
【００８６】
第３導電部材３５３の連結部３５３ｂは、基部３５３ａと板ばね部３５３ｃとを機械的及び電気的に接続している。第３導電部材３５３の板ばね部３５３ｃは、弾性を有する。板ばね部３５３ｃは、カバー３３の上壁３３２の切り欠き（第１切り欠き３３２ａ、第２切り欠き３３２ｂ）の側辺（右辺又は左辺）に対応する位置から、切り欠きと離れる向きに延びている。板ばね部３５３ｃの先端は、カバー３３を閉じたときに周壁部１１ｂの上壁１１ｂ１に接触する。この接触により、ボディ１０とカバー３３との間の電気的な接続を確保することが可能となり、ボディ１０とカバー３３との間の電磁シールド性を向上させることができる。
【００８７】
図４〜図７を参照して、入力側接続部６に入力側同軸ケーブル２を接続する接続手順を説明する。
【００８８】
図４に示すように、カバー３３を開けた状態で、入力側同軸ケーブル２の端部から露出した内部導体２ａを、絶縁カバー３８の入力側端子収容部３８２の貫通孔３８２ａを通して、入力側端子部３０の一対のばね片３０ａの間に挿入する。そして、カバー３３を支軸３３６ａ周りに回転させてカバー３３を閉じる（図６参照）。そして、ねじ３４を、カバー３３の貫通孔３３８ａを挿通して端子板３１のねじ孔３１ｂにねじ込む（図３参照）。この結果、図７に示すように、カバー３３が閉状態でボディ１０に固定される。即ち、端子板３１がボディ１０に固定されているため、カバー３３は、端子板３１にねじ止めされることで、ボディ１０に固定される。
【００８９】
この固定状態では、入力側同軸ケーブル２の端部がカバー３３の第１保持凹部３３８ｂと端子板３１との間に狭持される。従って、入力側同軸ケーブル２の端部が入力側接続部６に機械的に接続される。この機械的な接続により、入力側同軸ケーブル２の端部から露出した内部導体２ａと入力側端子部３０との電気的な接続を確保することができる。また、入力側同軸ケーブル２の端部から露出した外部導体２ｂと端子板３１との電気的な接続を確保することができる。また、カバー３３による入力側同軸ケーブル２の端部（即ちこの端部から露出した内部導体２ａ及び外部導体２ｂ）の被覆（即ち電磁シールト゛）を確保することができる。即ち、ねじ３４でカバー３３を端子板３１に固定するだけで、入力側同軸ケーブル２の内部導体２ａ及び外部導体２ｂの各々をねじで固定しない。この結果、電磁シールド性を確保しつつ、入力側同軸ケーブル２を入力側接続部６に接続する接続作業の負担を軽減することができる。
【００９０】
また、上記の固定状態では、第１導電部材３５１の板ばね部３５１２ａによって、周壁部１１ｃの側壁とカバー３３の側面とが電気的に接続される（図７参照）。これにより、周壁部１１ｂ（ボディ１０）とカバー６２との間の電気的な接続を確保することが可能となり、ボディ１０とカバー３３との間の電磁シールド性を向上させることが可能となる。
【００９１】
また、第２導電部材３５２により、入力側同軸ケーブル２の端部と第１保持凹部３３８ｂとの間の隙間が塞がれる。従って、同軸ケーブル用コンセント１の電磁シールド性を更に向上させることが可能となる。
【００９２】
また、第３導電部材３５３の板ばね部３５３ｃによって、周壁部１１ｃの上壁１１ｂ１とカバー３３の上壁３３２とが電気的に接続される（図７参照）。これにより、周壁部１１ｂ（ボディ１０）とカバー６２との間の電気的な接続を確保することが可能となり、ボディ１０とカバー３３との間の電磁シールド性を向上させることが可能となる。
【００９３】
次に図３を参照して、出力側接続部７について説明する。出力側接続部７は、入力側接続部６と同様に構成されている。即ち、出力側接続部７は、出力側端子部７０（第１端子部）と、端子板７１（第２端子部）と、カバー７３と、ねじ７４と、導電部材７５（第１導電部材７５１、第２導電部材７５２、第３導電部材７５３）と、絶縁カバー７８と、を備えている。ねじ７４は、カバー７３を端子板７１に固定する固定構造７９の一例である。
【００９４】
出力側接続部７の出力側端子部７０、端子板７１、カバー７３、ねじ７４、及び絶縁カバー７８の各々の各々は、入力側接続部６の入力側端子部３０、端子板３１、カバー３３、ねじ３４、及び絶縁カバー３８と同様に構成されている。また、出力側接続部７の導電部材７５（第１導電部材７５１、第２導電部材７５２、第３導電部材７５３）は、入力側接続部６の導電部材３５（第１導電部材３５１、第２導電部材３５２、第３導電部材３５３）と同様に構成されている。このため、出力側接続部７の詳細な説明は省略する。
【００９５】
また、出力側接続部７が取り付けられる周壁部１１ｃも、周壁部１１ｂと同様に構成されている。このため、周壁部１１ｂの詳細な説明も省略する。
【００９６】
また、出力側接続部７への第２出力側同軸ケーブル３の接続手順も、入力側接続部６への入力側同軸ケーブル２の接続手順と同様であるため、詳細な説明を省略する。
【００９７】
（２）変形例  
（２−１）変形例１  
上記の実施形態では、入力側接続部６から入力側同軸ケーブル２が引き出される向き（即ち入力側接続部６の向き）と、出力側接続部７から第２出力側同軸ケーブル３が引き出される向き（即ち出力側接続部７の向き）とは、ともに下向きで同じ向きであった。しかし、それらの向きは、下向きに限定されず、例えば上向き又は横向きなど、どの向きに向けられてもよい。
【００９８】
また、入力側接続部６から入力側同軸ケーブル２が引き出される向きと、出力側接続部７から第２出力側同軸ケーブル３が引き出される向きとは、互いに同じ向きであったが、互いに異なる向きであってもよい。例えば、入力側接続部６から入力側同軸ケーブル２が引き出される向きが上向きで、出力側接続部７から第２出力側同軸ケーブル３が引き出される向きが下向きであってもよい。
【００９９】
なお、入力側接続部６から入力側同軸ケーブル２が引き出される向きとは、入力側接続部６の入力側端子収容部３８２の貫通孔３８２ａの向きである。同様に、出力側接続部７から出力側同軸ケーブル３が引き出される向きとは、出力側接続部７の出力側端子収容部の貫通孔の向きである。
【０１００】
（２−２）変形例２  
また、上記の実施形態の入力側接続部６において、２つの第３導電部材３５３のうち、入力側端子収容部３８２に対応しない方の第３導電部材３５３は無くてもよい。また、２つの切り欠き３３２のうち、入力側端子収容部３８２に対応しない方の切り欠き３３２ｂも無くてもよい。出力側接続部７についても同様である。
【０１０１】
（２−３）変形例３  
また、上記の実施形態において、出力側接続部７に接続可能な第２出力側同軸ケーブル３の本数は１本であるが、出力側端子部７１及び出力側端子収容部などの個数を増やすことで、複数の第２出力側同軸ケーブル３が出力側接続部７に接続できるようにしてもよい。
【０１０２】
（２−４）変形例４  
また、上記の実施形態の入力側接続部６では、ねじ３４をカバー３３の貫通孔３３８ａを通して端子板３１のねじ孔３１ｂにねじ込むことで、カバー３３を閉状態に固定した。これに対し、端子板３１のねじ孔３１ｂを貫通孔（ねじ山の無い孔）に変更して、周壁部１１ｂの底部１１ｂ９にねじ孔を設ける。そして、ねじ３４をカバー３３の貫通孔３３８ａ及び端子板３１の上記の貫通孔を通して、周壁部１１ｂの底部１１ｂ９の上記のねじ孔にねじ込む。このように、カバー３３を閉状態に固定してもよい。出力側接続部７についても同様である。
【０１０３】
（２−５）変形例５  
また、上記の実施形態では、入力側接続部６のねじ３４と出力側接続部７のねじ７４とは、互いに別のねじであった。即ち、入力側接続部６のカバー３３及び出力側接続部７のカバー７３は、異なるねじで閉状態で固定されたが、図８に示すように、入力側接続部６のカバー３３と出力側接続部７のカバー７３とを、１本のねじ８ａで閉状態に固定してもよい。
【０１０４】
より詳細には、図８に示すように、入力側接続部６において、端子板３１のねじ孔３１ｂを貫通孔に変更し、周壁部１１ｂの底部１１ｂ９に貫通孔を設ける。同様に、出力側接続部７において、端子板７１のねじ孔を貫通孔に変更し、周壁部１１ｃの底部に貫通孔を設ける。そして、１本のねじ８ａを、出力側接続部７のカバー７３の貫通孔、端子板７１の上記の貫通孔、及び周壁部１１ｃの底部の上記の貫通孔を順に通って、ボディ１０の内部に通す。そして更に、１本のねじ８ｂを、ボディ１０の内部から、入力側接続部６の周壁部１１ｂの底部１１ｂ９の上記の貫通孔、端子板３１の上記の貫通孔、及び、カバー３３の貫通孔３３８ａを順に通す。そして、ねじ８ａの先端部にナット８ｂを締結する。この構成によれば、１本のねじ８ａで、入力側接続部６のカバー３３と出力側接続部７のカバー７３とを閉状態に固定することができる。
【０１０５】
なお、一本のねじは、入力側接続部６側から挿入して出力側接続部７から突出させてもよい。また、ナット８ｂの代わりに、入力側接続部６のカバー３３にねじ孔を設け、そのねじ孔にねじ８ａの先端部をねじ込んでもよい。
【０１０６】
（２−６）変形例６  
また、上記の実施形態では、入力側接続部６のカバー３３及び出力側接続部７のカバー７３をねじで閉状態に固定した。これに対し、図９に示すように、断面略Ｕ字形の閉塞具４０を用いて、入力側接続部６のカバー３３及び出力側接続部７のカバー７３を閉状態に固定してもよい。
【０１０７】
より詳細には、図９に示すように、閉塞具４０は、金属製又は樹脂製であり、主面部４０ａと両側の側面部４０ｂ，４０ｃとを有している。主面部４０ａ及び側面部４０ｂ，４０ｃの各々は、略矩形の板状である。両側の側面部４０ｂ，４０ｃは、主面部４０ａの両側の辺部から、主面部４０ａの裏面側に略直角に立ち上がっている。主面部４０ａには、ねじ４１が通る貫通孔が設けられており、ボディ１０の上面には、ねじ４１がねじ込まれるねじ孔が設けられている。
【０１０８】
閉塞具４０をボディ１０の上側からボディ１０の外側に嵌合させる。この状態で、両側の側面部４０ｂ，４０ｃの各々は、各カバー３３，７３の各々の表側主面（例えば上半部分）に接触し、主面部４０ａはボディ１０の上面に接触する。そして、ねじ４１を閉塞具４０の貫通孔を通してボディ１０のねじ孔にねじ込む。これにより、閉塞具４０がボディ１０に固定され、閉塞具４０によって各カバー３３，７３が閉状態に固定される。なお、閉塞具４０及びねじ４１は、固定構造３９，７９の一例である。
【０１０９】
（３）態様  
以上、説明した実施形態及び変形例から明らかなように、第１の態様の同軸ケーブル用コンセント（１）は、入力側接続部（６）と、出力側接続部（７）と、を備える。入力側接続部（６）は、入力側同軸ケーブル（２）が接続される。出力側接続部（７）は、出力側同軸ケーブル（３）が接続される。入力側接続部（６）及び出力側接続部（７）の各々は、第１端子部（３０，７０）と、第２端子部（３１，７１）と、カバー（３３，７３）と、固定構造（３９，７９）と、を有する。第１端子部（３０，７０）は、入力側同軸ケーブル（２）の内部導体（２ａ）又は出力側同軸ケーブル（３）の内部導体と電気的に接続される。第２端子部（３１，７１）は、第１端子部（３０，７０）とは電気的に絶縁され、入力側同軸ケーブル（２）の外部導体（２ｂ）又は出力側同軸ケーブル（３）の外部導体と電気的に接続される。カバー（３３，７３）は、第１端子部（３０，７０）と電気的に絶縁され、かつ第２端子部（３１，７１）と電気的に接続されており、入力側同軸ケーブル（２）の端部又は出力側同軸ケーブル（３）の端部を覆う。固定構造（３９，７９）は、第２端子部（３１，７１）とカバー（３３，７３）とを固定する。
【０１１０】
この構成によれば、同軸ケーブル（２，３）の内部導体が第１端子部（３０，７０）に電気的に接続され、かつカバー（３３，７３）によって同軸ケーブル（２，３）の内部導体及び外部導体が覆われる。この状態で、固定構造（３９，７９）でカバー（３３，７３）が第２端子部（３１，７１）に固定される。これにより、カバー（３３，７３）と第２端子部（３１，７１）との間に同軸ケーブル（２，３）の端部が挟まれて、同軸ケーブル（２，３）の端部が入力側接続部（６）又は出力側接続部（７）に機械的に接続される。
【０１１１】
この機械的な接続により、同軸ケーブル（２，３）の内部導体と第１端子部（３０，７０）との電気的な接続を確保することができる。また、同軸ケーブル（２，３）の外部導体と第２端子部（３１，７１）との電気的な接続を確保することができる。また、カバー（３３，７３）による同軸ケーブル（２，３）の端部（より詳細にはこの端部から露出した内部導体及び外部導体）の被覆（即ち電磁シールト゛）を確保することができる。即ち、固定構造（３９，７９）でカバー（３３，７３）を第２端子部（３１，７１）に固定するだけで、同軸ケーブル（２，３）の内部導体及び外部導体の各々をねじで固定しない。この結果、電磁シールド性を確保しつつ、同軸ケーブル（２，３）を入力側接続部（６）又は出力側接続部（７）に接続する接続作業の負担を軽減することができる。
【０１１２】
第２の態様の同軸ケーブル用コンセント（１）では、第１の態様において、入力側接続部（６）及び出力側接続部（７）の各々は、ボディ（１０）と、導電部材（３５１，３５３，７５１，７５３）と、を更に有する。ボディ（１０）は、導電性を有し、第２端子部（３１，７１）と電気的に接続され、第１端子部（３０，７０）及び第２端子部（３１，７１）を収容し、カバー（３３，７３）で覆われる開口を有する。導電部材（３５１，３５３，７５１，７５３）は、カバー（３３，７３）とボディ（１０）との間の隙間に配置され、カバー（３３，７３）とボディ（１０）とを電気的に接続する。
【０１１３】
この構成によれば、カバー（３３，７３）によってボディ（１０）の開口が閉じられる。この状態で、導電部材（３５１，３５３，７５１，７５３）がカバー（３３，７３）とボディ（１０）との間の隙間に配置されてカバー（３３，７３）とボディ（１０）とを電気的に接続する。このため、カバー（３３，７３）とボディ（１０）との間の電気的な接触を十分に確保することができ、この結果、カバー（３３，７３）とボディ（１０）との間の電磁シールド性を向上させることができる。
【０１１４】
第３の態様の同軸ケーブル用コンセント（１）では、第２の態様において、導電部材（３５１，３５３，７５１，７５３）は、弾性を有する。
【０１１５】
この構成によれば、カバー（３３，７３）とボディ（１０）との間に寸法誤差があっても、導電部材（３５１，３５３，７５１，７５３）の弾性によって寸法誤差を吸収することができる。この結果、カバー（３３，７３）とボディ（１０）との電気的な接触を十分に確保することができる。
【０１１６】
第４の態様の同軸ケーブル用コンセント（１）では、第１〜第３のいずれかの態様において、固定構造（３９，７９）は、ねじ（３４，７４，８ａ，４１）を含む。
【０１１７】
この構成によれば、第２端子部（３１，７１）とカバー（３３，７３）とがねじを用いて固定されるため、簡単な固定構造でカバー（３３，７３）を第２端子部（３１，７１）に固定することができる。
【０１１８】
第５の態様の同軸ケーブル用コンセント（１）では、第４の態様において、入力側接続部（６）のねじと出力側接続部（７）のねじとは、１本のねじ（８ａ）である。
【０１１９】
この構成によれば、１本のねじ（８ａ）を用いて、入力側接続部（６）及び出力側接続部（７）の各々においてカバー（３３，７３）を第２端子部（３１，７１）に固定することができる。この結果、同軸ケーブル（２，３）を入力側接続部（６）又は出力側接続部（７）に接続する接続作業の負担を、より一層、軽減することができる。
【０１２０】
第６の態様の同軸ケーブル用コンセント（１）は、第１〜第５のいずれかの態様において、コンセント本体（１５）を更に備える。コンセント本体（１５）は、入力側接続部（６）及び出力側接続部（７）が設けられる。入力側接続部（６）及び出力側接続部（７）は、コンセント本体（１５）における一方向の両側の面に設けられている。
【０１２１】
この構成によれば、入力側接続部（６）及び出力側接続部（７）は、コンセント本体（１５）における一方向の両側の面に設けられるため、入力側接続部（６）と出力側接続部（７）とを互いに十分な間隔を空けてコンセント本体（１５）に設けることができる。この結果、入力側接続部（６）及び出力側接続部（７）の各々から引き出された同軸ケーブル（２，３）が互いに干渉することを防止することができる。
【０１２２】
第７の態様の同軸ケーブル用コンセント（１）では、第１〜第６のいずれかの態様において、出力側接続部（７）から出力側同軸ケーブル（３）が引き出される向きは、入力側接続部（６）から入力側同軸ケーブル（２）が引き出される向きとは異なる。
【０１２３】
この構成によれば、入力側接続部（６）及び出力側接続部（７）の各々に応じて、最適な方向に同軸ケーブル（２，３）を引き出すことができる。この結果、入力側接続部（６）及び出力側接続部（７）の各々から、同軸ケーブル（２，３）を無理に曲げることなく、同軸ケーブル（２，３）を引き出すことができる。
【符号の説明】
【０１２４】
１  同軸ケーブル用コンセント
２  入力側同軸ケーブル
３  出力側同軸ケーブル
６  入力側接続部
７  出力側接続部
３９，７９  固定構造
８ａ,３４，４１,７４，ねじ（固定構造）
８ｂ  ナット（固定構造）
１０  ボディ
３０  入力側端子部（第１端子部）
３１  端子板（第２端子部）
３３，７３  カバー
４０  閉塞具（固定構造）
７０  出力側端子部（第１端子部）
７１  端子板（第２端子部）
３５１，７５１  第１導電部材（導電部材）
３５３，７５３  第３導電部材（導電部材）
【図１】
2019125560.tif 000003
【図２】
2019125560.tif 000004
【図３】
2019125560.tif 000005
【図４】
2019125560.tif 000006
【図５】
2019125560.tif 000007
【図６】
2019125560.tif 000008
【図７】
2019125560.tif 000009
【図８】
2019125560.tif 000010
【図９】
2019125560.tif 000011